【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
電気通信スイッチ装置内に光ファイバをルーティングするための汎用性スートであって、
第１の列の導管を有する第１のパッチパネルと
第２の列の導管を有する第２のパッチパネルと、
軸線を有する光ファイバの曲り制御手段とを具備し、
この曲り制御手段は、前記軸線に沿って、前記第１の列並びに第２の列の導管と相互に延びており、使用時に、前記曲り制御手段により制御される管状経路が、前記第１のパッチパネルのいずれかの導管を前記第２のパッチパネルのいずれかの導管に接続するように、パッチ管を用いて、前記第１のパッチパネルと第２のパッチパネルとの間に形成される、汎用性スート。
【請求項２】
前記第１のパッチパネルと第２のパッチパネルとの少なくとも一方の前記列の導管は、複数の列の導管を含んでいる請求項１の汎用性スート。
【請求項３】
前記第１のパッチパネルと第２のパッチパネルとの少なくとも一方の前記導管の少なくとも１つには、前記パッチ管により接続されるためのコネクタが設けられている請求項１又は２の汎用性スート。
【請求項４】
前記曲り制御手段は、前記第１のパッチパネルと第２のパッチパネルとの間に配置されている請求項１ないし３のいずれか１の汎用性スート。
【請求項５】
前記第１のパッチパネル、並びに第１の湾曲面を有する曲り制御手段を備えた第１の汎用性接点と、前記第２のパッチパネル、並びに第２の湾曲面を有する曲り制御手段を備えた第２の汎用性接点とを具備する請求項１ないし４のいずれか１の汎用性スート。
【請求項６】
前記第１の汎用性接点は、前記第２の汎用性接点と一体的でない請求項５の汎用性スート。
【請求項７】
３つ以上の汎用性接点を具備する請求項５又は６の汎用性スート。
【請求項８】
前記第１の列の導管の少なくとも１つは、第１の導管端部と第２の導管端部とを有し、
前記第２の列の導管の少なくとも１つは、第３の導管端部と第４の導管端部とを有し、
前記管状経路は、前記パッチ管の第１の端部を前記第２の導管端部に接続し、また前記パッチ管の第２の端部を前記第３の導管端部に接続することにより、形成され得る請求項１ないし７のいずれか１の汎用性スート。
【請求項９】
前記管状経路が、前記第１若しくは第２のパッチパネルの導管を超えて延びるように形成され得るように、第１の光ファイバ管が、前記第１の導管端部に接続され、第２の光ファイバ管が、前記第４の導管端部に接続されている請求項８の汎用性スート。
【請求項１０】
前記第１並びに第２の光ファイバ管の少なくとも一方の曲りを管理する曲り管理手段をさらに有する請求項９の汎用性スート。
【請求項１１】
電気通信スイッチ装置内に光ファイバをルーティングするための汎用性スートであって、
軸線を有する光ファイバの曲り制御手段、並びに１列の導管を備えた汎用性接点と、
スプライス手段とを具備し、前記曲り制御手段は、前記軸線に沿って、前記１列の導管と相互に延びており、
使用時に、前記曲り制御手段により制御される管状経路が、前記汎用性接点のいずれかの導管を前記スプライス手段に接続するパッチ管を用いて、前記汎用性接点とスプライス手段との間に形成されている汎用性スート。
【請求項１２】
請求項１に係る複数の汎用性スートを具備する汎用性スートの装置。
【請求項１３】
電気通信スイッチまたはルーターを有する装置であって、
電気通信スイッチまたはルーターと、
請求項１による第１の汎用性スートと、
請求項１による第２の汎用性スートとを具備し、
管状経路が、前記第１の汎用性スートから第２の汎用性スートまで形成されており、
この管状経路は、
第１のパッチパネルの導管を第２のパッチパネルの導管に接続する、前記第１の汎用性スート内のパッチ管と、
第１のパッチパネルの導管を第２のパッチパネルの導管に接続する、前記第２の汎用性スート内のパッチ管と、
前記第１並びに第２の汎用性スート間で導管を接続する少なくとも１つの光ファイバ管とにより形成されており、
使用時に、光ファイバは、前記管状経路に沿って装着されて形成されることが可能である電気通信スイッチまたはルーターを有する装置。
【請求項１４】
少なくとも１つの二次汎用性スートをさらに具備し、
前記第１の汎用性スートは、複数の光ファイバ管を用いて、前記第２の汎用性スートを経て前記二次汎用性スートに連続的に接続され、前記管状経路は、前記第１の汎用性スートから前記二次汎用性スートまで連続的に形成され、この二次汎用性スートで終端している請求項１３の装置。
【請求項１５】
電気通信スイッチまたはルーターを有する装置であって、
電気通信スイッチまたはルーターと、
電気通信ネットワークの外部の光ファイバと、
請求項１又は１１による一次汎用性スートと、
請求項１による少なくとも１つの二次汎用性スートとを具備し、
管状経路が、前記一次汎用性スートから前記二次汎用性スートを経て前記電気通信スイッチまたはルーターに連続的に形成され、この管状経路は、
第１のパッチパネルの導管を第２のパッチパネルの導管又はスプライス手段に接続している、前記一次汎用性スート内のパッチ管と、
前記第１のパッチパネルの導管を前記第２のパッチパネルの導管に接続している、前記二次汎用性スート内のパッチ管と、
前記両汎用性スート間の導管を接続するための少なくとも１つの光ファイバ管とにより形成され、
使用時に、光ファイバは、前記スイッチ又はルーターを前記外側の光ファイバに光学的に接続するために形成されるように、前記管状経路に沿って装着されることが可能である電気通信スイッチまたはルーターを有する装置。
【請求項１６】
複数の電気通信スイッチまたはルーターが、前記一次並びに二次汎用性スートを経て、種々の外部の光ファイバに接続される請求項１５の装置。
【請求項１７】
前記両汎用性スートは、建造物の異なる階に位置されている請求項１３ないし１６のいずれか１の装置。
【請求項１８】
第２のパッチパネルとの使用に適した汎用性のパッチパネルであって、
１列の導管と、
軸線を有する光ファイバの曲り制御手段とを具備し、この曲り制御手段は、前記軸線に沿って、前記１列の導管と相互に延びており、
使用時に、前記曲り制御手段により制御された管状経路が、このパッチパネルのいずれかの導管を前記第２のパッチパネルのいずれかの導管に接続するパッチ管を用いて、このパッチパネルと第２のパッチパネルとの間に形成される汎用性のパッチパネル。
【請求項１９】
電気通信スイッチまたはルーターを有する装置と電気通信ネットワークの外部の光ファイバとの間で電気通信スイッチまたはルーターにおける接続を行う方法であって、
パッチ管と光ファイバ管との長尺体を装着して前記パッチ管と光ファイバ管との長尺体の端部を接合し、請求項１又は１１による一次汎用性スートから、請求項１による二次汎用性スートを介した、前記電気通信スイッチ又はルーターまでの管状経路を形成する工程と、
この管状経路を介した連続した光ファイバを装着して、前記電気通信スイッチ又はルーターと外部のケーブルの光ファイバとを光学的に接続する工程とを具備している、接続を行う方法。
【請求項２０】
電気通信スイッチまたはルーターを有する装置における既存の接続を、第１の電気通信スイッチ又はルーターと電気通信ネットワークの外部の光ファイバとの間の、請求項１又は１１による一次汎用性スートを介した接続から再ルーティングして、第２の電気通信スイッチ又はルーターと前記外部の光ファイバとの間の接続を前記一次汎用性スートを介して行う方法であって、
第１の電気通信スイッチと一次汎用性スートとの間の接続を遮断する工程と、
パッチ管と光ファイバ管との長尺体の端部を接合して、前記一次汎用性スートから、請求項１による二次汎用性スートを介した二次電気通信スイッチ又はルーターまでの管状経路を形成する工程と、
連続した光ファイバ管を、接合された前記パッチ管と光ファイバ管とにより形成された管状経路を通して装着して、第２の電気通信スイッチ又はルーターと前記外部の光ファイバとの間に光路を設ける工程とを具備し、
前記一次並びに二次汎用性スートは、装置内の前記接合されたパッチ管と光ファイバ管とをルーティングするための手段を有している、接続を行う方法。
【請求項２１】
前記連続した光ファイバは、予め接続される請求項１９又は２０の方法。
【請求項２２】
前記連続した光ファイバは、電気通信スイッチ又はルーターを収容する設備ラックから前記一次汎用性スートまで装着される請求項１９又は２０の方法。
【請求項２３】
前記連続した光ファイバは、前記一次汎用性スートから前記電気通信スイッチ又はルーターまで装着される請求項１９又は２１の方法。